(57)【要約】【課題】振込み用紙等を一体化した配送用伝票を提供する。【解決手段】切り離し用ミシン目３およびこれに並設された折り線４とによって隔てられた第１情報記入欄１Ａと第２情報記入欄２Ａとを備え、切り離し用ミシン目３によって第１情報記入欄部１と第２情報記入欄部２とが切り離し自在とされ、かつ第１情報記入欄部１の裏面側であって折り重ね状態で前記第２情報記入欄部２と重なり合う部分を除く余白部分５に貼着部５’を有する配送用伝票により解決される。【選択図】図１
2006142574.tif 000002
【特許請求の範囲】
【請求項１】
表面に第１情報記入欄と第２情報記入欄とを備え、これらが１本以上の切り離し用線状部分およびこれに並設された折り線とによって隔てられ、
前記切り離し用線状部分は前記折り線よりも第１情報記入欄に近い側に位置され、この切り離し用線状部分によって第１情報記入欄が位置される第１情報記入欄部と第２情報記入欄が位置される第２情報記入欄部とが切り離し自在とされ、
前記折り線で前記第２情報記入欄部を第１情報記入欄部の裏面側に折り返して重ね合わせた状態における第２情報記入欄部の重ね合せ部分の周縁が、第１情報記入欄部の裏面内に位置し、
かつ第１情報記入欄部の裏面側であって前記第２情報記入欄部と重なり合う部分を除く余白部分に第１情報記入欄部を対象物に対して貼着するための貼着部を有し、
さらに、前記第２情報記入欄部を第１情報折り返して第１情報記入欄を対象物に貼着した状態で、前記切り離し用線状部分を介して前記第２情報記入欄部を前記第１情報欄部から切り離したときに、第２情報記入欄部を、前記第１情報記入欄部と貼着対象物との間から折り返し端方向に引き抜いて、貼着対象物から分離可能とされていることを特徴とする配送用伝票。
【請求項２】
前記折り線が、ミシン目または折り筋である請求項１記載の配送用伝票。
【請求項３】
前記折り線の部分の引張強度が、他の部分よりも１割以上低く形成されている請求項１または２記載の配送用伝票。
【請求項４】
前記貼着部が、第１情報記入欄部の、切り離し用線状部分縁部を除く周縁部に、形成されている請求項１〜３の何れか１項に記載の配送用伝票。
【発明の詳細な説明】
【技術分野】
【０００１】
本発明は、配送用伝票に関する。
【背景技術】
【０００２】
近年、ＴＶショッピング、カタログ販売、インターネットによる商取引などが増加している。このような商取引においては、注文者が商品代金を宅配業者等に支払う代金引換システムのほか、販売者が予め振込み先を記載した振込み用紙を商品やサンプル品等とともに送付し、商品等の到着後に注文者が当該振込み用紙を用いて代金を支払う形態を採ることがある。この場合、振込み用紙は、注文者に対して注文商品に同梱して送付されたり、別途郵便にて送付されたり、粘着性を設けた袋に入れて商品の梱包箱外面に貼着して送付されたりしている。
【特許文献１】特開２００１−００１４２８
【特許文献２】特開２００１−２５３１８５
【発明の開示】
【発明が解決しようとする課題】
【０００３】
しかしながら、商品とともに振込み用紙を同梱する方法は、振込み用紙の入れ忘れを商品梱包後に外部から容易に確認することができないという欠点がある。他方、袋にいれて梱包箱外面に貼着する方法では、梱包箱外面から剥離するおそれがあり、また、袋が必要で、その貼着という煩雑な操作も必要となるため、手間およびコストがかかる。
【０００４】
そこで、本発明の主たる課題は、振込み用紙などの添付書類を煩雑な操作を必要とせずに配送品等とともに相手方に確実に送付することができ、入れ忘れの確認なども容易にできる配送用伝票を提供することにある。
【課題を解決するための手段】
【０００５】
上記課題を解決した本発明は、以下のとおりである。
＜請求項１記載の発明＞
表面に第１情報記入欄と第２情報記入欄とを備え、これらが１本以上の切り離し用線状部分およびこれに並設された折り線とによって隔てられ、
前記切り離し用線状部分は前記折り線よりも第１情報記入欄に近い側に位置され、この切り離し用線状部分によって第１情報記入欄が位置される第１情報記入欄部と第２情報記入欄が位置される第２情報記入欄部とが切り離し自在とされ、
前記折り線で前記第２情報記入欄部を第１情報記入欄部の裏面側に折り返して重ね合わせた状態における第２情報記入欄部の重ね合せ部分の周縁が、第１情報記入欄部の裏面内に位置し、
かつ第１情報記入欄部の裏面側であって前記第２情報記入欄部と重なり合う部分を除く余白部分に第１情報記入欄部を対象物に対して貼着するための貼着部を有し、
さらに、前記第２情報記入欄部を第１情報折り返して第１情報記入欄を対象物に貼着した状態で、前記切り離し用線状部分を介して前記第２情報記入欄部を前記第１情報欄部から切り離したときに、第２情報記入欄部を、前記第１情報記入欄部と貼着対象物との間から折り返し端方向に引き抜いて、貼着対象物から分離可能とされていることを特徴とする配送用伝票。
【０００６】
＜請求項２記載の発明＞
前記折り線が、ミシン目または折り筋である請求項１記載の配送用伝票。
【０００７】
＜請求項３記載の発明＞
前記折り線の部分の引張強度が、他の部分よりも１割以上低く形成されている請求項１または２記載の配送用伝票。
【０００８】
＜請求項４記載の発明＞
前記貼着部が、第１情報記入欄部の、切り離し用線状部分縁部を除く周縁部に、形成されている請求項１〜３の何れか１項に記載の配送用伝票。
【発明の効果】
【０００９】
本発明によれば、
（１）第１情報記入欄と第２情報記入欄と一方の面に備えるので、各欄を設けるのに両面印刷する必要がなく簡易な作成が可能である。
【００１０】
（２）そして、第１情報記入欄と第２情報記入欄とがミシン目など線状に切り離しを容易にする加工を施した部分を隔てて一体化、すなわち一枚のシートで形成されているので、双方が別々になりづらい。第１情報記入欄部を配送先を記入する部分として、第２情報記入欄部を振り込み用紙等の添付書類とすれば、振込み用紙等の添付書類の入れ忘れ等がなくなる。
【００１１】
（３）第２情報記入欄部を折り返した状態で対象物に貼着可能であるので、例えば第１情報記入欄に配送先など開示性の必要な情報を記入し、第２情報記入欄に金融機関名や親展情報など隠蔽情報を記入して使用することが可能である。
【００１２】
（４）第２情報記入欄が使用時に第１情報記入欄部の裏面と貼着対象物との間に位置され保護されるための使用の際に汚れることがない。従って、例えば、第２情報記入欄にバーコード等の機械によって自動読取りする必要がある情報を記載しても汚れによって読込み不良となる事態は防止される。
【００１３】
（５）折り線をミシン目とすると、第２情報記入欄部を貼着対象物から分離した後に、折り線用ミシン目に沿って切り離すことにより折り目のない一枚のシートにすることができ、第２情報記入欄部の取り扱い性が高まる。
【発明を実施するための最良の形態】
【００１４】
次いで、本発明の実施の形態を図面を参照しながら以下に詳述する。図１は、本発明にかかる配送用伝票の展開時の正面図である。図２は、その裏面図である。図３は本発明にかかる配送用伝票の使用時の正面図である。図４は、その裏面図である。図５は本発明にかかる配送用伝票の使用態様を示す図である。
【００１５】
本発明の配送用伝票に使用される基紙は、特に限定されるものではなく、従来既知の配送用伝票に用いられている紙等を用いることができる。例えば、古紙パルプあるいはバージンパルプを原料とする紙、合成紙、ポリエチレンフィルムシートあるいはこれらを貼合したもの等が挙げられる。
【００１６】
本発明の配送用伝票は、図１に示されるとおり、その基紙の一方の面に第１情報記入欄１Ａ（図示例では住所記載欄）と第２情報記入欄２Ａ（図示例では振込み先記入欄）とが形成されており、これらが１本の前記切り離し用線状部分３およびこれに並設された折り線４とによって隔てられている。
【００１７】
前記第１情報記入欄１Ａおよび第２情報記入欄２Ａの形成は、インクジェット印刷、グラビア印刷など既知の印刷技術を用いて基紙に印刷することにより形成することができる。
【００１８】
前記切り離し用線状部分３は折り線４よりも第１情報記入欄１Ａに近い側に位置されており、前記切り離し用線状部３によって第１情報記入欄１Ａが位置される第１情報記入欄部１と第２情報記入欄２Ａが位置される第２情報記入欄部２とが切り離し自在とされている。切り離し用線状部３は、例えば、図示例の如くロックミシンによってミシン目ラインを形成したりするほか（以下、切り離し用ミシン目３ともいう。）、線状に型押ししたり、紙の繊維間結合を弱くする繊維柔軟剤等を線状に塗布したりして形成することができる。
【００１９】
他方、前記折り線４についてもミシン目あるいは型押しによって形成することができる。本形態では、折り線４もミシン目で形成されている（このミシン目は折り線用ミシン目４ともいう。）。折り線用ミシン目４についても前記切り離し用ミシン目と同様にロックミシン等によって形成することができる。もちろん、折り線４についてはミシン目に限らず、単に基紙上に線を印刷して設けてもよいし、予め折り目をつけることによって形成した折り線４であってもよい。
【００２０】
他方、本発明の配送用伝票Ｘは、図示されるように、第１情報記入欄部１は、第２情報記入欄部２よりも大きく、前記折り線４で前記第２情報記入欄部２を第１情報記入欄部１の裏面側に折り返して重ね合わせた状態において、第２情報記入欄部２の重ね合せ部分の周縁２ｅは、第１情報記入欄部１の裏面内に位置する。従って、第２情報記入欄部２の折り返し状態においては、図３に示すように、正面視において第２情報記入欄２は、第１情報記入欄部１に隠れて見ることができない。
【００２１】
そして、第１情報記入欄部１の裏面であって前記第２情報記入欄部２と重なり合う部分を除く余白部分５には、第１情報記入欄部１を対象物Ｙに対して貼着するための貼着部５’が形成されている。この貼着部５は、接着性あるいは粘着性を示すように形成する。この種の配送用伝票の貼着用に用いられている接着剤、糊、粘着剤を用いて形成すればよい。その他、いわゆる擬似接着剤等も使用できる。これら接着剤等は、ブレードコーター、ロールコーター等の塗工機や、グラビア印刷機、凸版印刷機などの各種印刷機によって適宜の模様に塗布することができる。図示例では、第１情報記入欄部１および第２情報記入欄部２が枡形であるので余白部分５は略コ字状となっており、この略コ字状の余白部分全体に粘着性の粘着剤が塗布されている。もちろん、図示例のように略コ字状の余白部分全体にベタで糊を塗布する必要はなく、適当な模様を描くように余白部分５に接着剤等を点在させるように印刷等してもよい。なお、粘着剤等の塗布によって貼着部５’を形成する場合には、使用前の状態においては離型処理した剥離紙で被覆するなどして、意図しない貼着を防止する措置を採るのが望ましい。
【００２２】
このように余白部分５に設けた貼着部５’によって、図３〜４に示されるように、第２情報記入欄部２を第１情報記入欄部１の裏面側に折り返して重ねた状態で対象物に第１情報記入欄部１を貼着すると、第２情報記入欄部２は第１情報記入欄部１と一体性を保持しつつ、第１情報記入欄部１と貼着対象物Ｙとの間に位置され、第２情報記入欄２Ａおよびそこに記載された情報が隠蔽状態となる。
【００２３】
そして、対象物Ｙに貼着した状態で、図５に示されるように、折り線用ミシン目４と切り離し用ミシン目３との間４３と第２情報記入欄部２の折り返し端部で形成される摘み端部４３を摘み、折り返し端方向（図中の矢印方向）に引っ張ると、切り離し用ミシン目３が裂開して、対象物Ｙに貼着されている第１情報欄部１から第２情報欄部２が分離する。分離後、さらに第２情報記入欄部２を折り返し端方向に引っ張ると、前記切り離し用ミシン目３の裂開部を口として第２情報記入欄部２が、前記第１情報記入欄部１と貼着対象物Ｙとの間から引き抜きかれて貼着対象物Ｙから分離される。なお、切り離し用ミシン目３を切り離して形成される破開口３ｅから第２情報記入欄部を引き抜きやすくするために、当該裂開口の幅は第２情報記入欄部２の引き抜き方向に直行する方向の最大幅２Ｗよりも幅広に形成するのが望ましい。例えば、切り離し用ミシン目３の長さを少なくとも第２情報記入欄部２の引き抜き方向に直行する方向の最大幅２Ｗよりも長く形成すればよい。
【００２４】
ここで、本形態では、第２情報記入欄部２および第１情報記入欄部１とも、枡形であるが、このよう形状に限定されるものではない。
【００２５】
＜使用例＞
本発明にかかる配送用伝票のより具体的な使用例としては、第１情報記入欄を住所等を記載するための配送先記入欄とし、第２情報記入欄を金融機関名や口座番号等を記入するための振込み先記入欄とする。そしてカタログ販売等において販売者は配送先記入欄に注文者の住所等を記載等し、振込み先記入欄に注文者が注文した商品の代金の振込み先（金融機関名や口座番号）を記載等する。そして、前記振込み先記入欄が記載された振込み用紙部（第２情報記入欄部）を配送先記入欄が記載された配送先伝票部（第１情報記入欄部）の裏面に折り返して重ねた状態で、当該配送先記入欄部をその裏面に形成された貼付部を介して商品に対して貼り付けて、注文者に商品を送付する。振込み用紙部は配送先伝票部と一体化されているので、振込み用紙が入れ忘れられることなく商品とともに注文者に確実に届けられる。注文者は商品到着後に自分の住所等が記載された配送先伝票部（第１情報記入欄部）から切り離し用ミシン目を裂開して振込み用紙部（第２情報記入欄部）を分離して、当該振込み用紙を用いて最寄りの金融機関等において代金の支払いを行う。
【産業上の利用可能性】
【００２６】
本発明は、上述の支払い用紙あるいは振込み用紙付きの配送用伝票のほか、書簡、荷物等を他人に受け渡したときに、その受領伝票を受けとる必要がある分野などにおいても利用することが可能である。
【図面の簡単な説明】
【００２７】
【図１】本発明にかかる配送用伝票の展開時の正面図である。
【図２】その裏面図である。
【図３】本発明にかかる配送用伝票の使用時の正面図である。
【図４】その裏面図である。
【図５】本発明の配送用伝票の使用形態を示す図である。
【符号の説明】
【００２８】
１…第１情報記入欄部、１Ａ…第１情報記入欄、２…第２情報記入欄部、２Ａ…第２情報記入欄、２ｅ…第２情報記入欄部の周縁、２Ｗ…第２情報記入欄の引き抜き方向に直行する方向の最大幅、３…切り離し用ミシン目、３ｅ…裂開口、４…折り線（折り線用ミシン目）、５…余白部分、５’…貼着部、４３…摘み端部、Ｘ…配送用伝票、Ｙ…貼着対象物。
【図１】
2006142574.tif 000003
【図２】
2006142574.tif 000004
【図３】
2006142574.tif 000005
【図４】
2006142574.tif 000006
【図５】
2006142574.tif 000007